(57)【要約】【課題】ユーザが見たい情報を早く閲覧できるようにすること。【解決手段】情報端末１０は、表示されたテロップ情報に対して行われた操作を検出する操作検出部１１と、検出された操作を示す操作情報と、該操作が行われたテロップ情報のカテゴリを示すカテゴリ情報とを関連付け、操作履歴として記憶する操作履歴記憶部１２と、テロップ情報と該テロップ情報のカテゴリを示すカテゴリ情報とを含む複数の配信情報を取得する情報取得部１３と、取得された複数の配信情報の各カテゴリに対するユーザの嗜好度を、操作履歴記憶部１２から読み出した操作履歴に基づいて算出する嗜好度算出部１４と、算出された嗜好度に基づいて複数の配信情報を並び替える情報並替部１５と、並び替えられた順序で当該複数の配信情報をテロップ表示するテロップ表示部１６と、を備える。【選択図】図１
2011205251.tif 000002
【特許請求の範囲】
【請求項１】
取得したテロップ情報をテロップ表示する情報端末であって、
表示されたテロップ情報に対して行われた操作を検出する検出手段と、
前記検出手段により検出された操作を示す操作情報と、該操作が行われたテロップ情報のカテゴリを示すカテゴリ情報とを関連付け、操作履歴として記憶する記憶手段と、
テロップ情報と該テロップ情報のカテゴリを示すカテゴリ情報とを含む複数の配信情報を取得する取得手段と、
前記取得手段により取得された複数の配信情報の各カテゴリに対するユーザの嗜好度を、前記記憶手段から読み出した操作履歴に基づいて算出する算出手段と、
前記算出手段により算出された前記嗜好度に基づいて前記複数の配信情報を並び替える並替手段と、
前記並替手段により並び替えられた順序で、前記取得手段により取得された複数の配信情報をテロップ表示する表示手段と、
を備えることを特徴とする情報端末。
【請求項２】
前記算出手段が、前記操作履歴に基づいて、巻き戻し又は一時停止の操作が行われたカテゴリに対する前記嗜好度を増加させ、前記並替手段が、前記嗜好度の降順に前記複数の配信情報を並び替える、請求項１に記載の情報端末。
【請求項３】
前記算出手段が、前記操作履歴に基づいて、早送りの操作が行われたカテゴリに対するユーザの嗜好度を減少させ、前記並替手段が、前記嗜好度の降順に前記複数の配信情報を並び替える、前記請求項１又は２に記載の情報端末。
【請求項４】
テロップ情報を表示する情報端末により実行されるテロップ表示方法であって、
テロップ情報と該テロップ情報のカテゴリを示すカテゴリ情報とを含む複数の配信情報を取得する取得ステップと、
前記取得ステップにおいて取得された複数の配信情報の各カテゴリに対するユーザの嗜好度を、記憶手段から読み出した操作履歴に基づいて算出する算出ステップと、
前記算出ステップにおいて算出された前記嗜好度に基づいて前記複数の配信情報を並び替える並替ステップと、
前記並替ステップにおいて並び替えられた順序で、前記取得ステップにおいて取得された複数の配信情報をテロップ表示する表示ステップと、
を含み、
前記記憶手段が、表示されたテロップ情報に対して行われた操作を示す操作情報と、該操作が行われたテロップ情報に対応するカテゴリ情報とを関連付け、操作履歴として記憶する、
ことを特徴とするテロップ表示方法。
【発明の詳細な説明】
【技術分野】
【０００１】
本発明は、情報端末及びテロップ表示方法に関する。
【背景技術】
【０００２】
従来から、テロップは、ユーザが閲覧しやすいように工夫されて表示されている。その一つに、ユーザによるキー操作に応じてテロップの表示を制御する方法がある。例えば、下記特許文献１には、電子機器の小型ディスプレイにデータをテロップ表示させる場合、ユーザによるキー操作に応じて、表示中のデータの直前又は直後のデータを表示させる技術が開示されている。
【先行技術文献】
【特許文献】
【０００３】
【特許文献１】特開２００９−２１７０３６号公報
【発明の概要】
【発明が解決しようとする課題】
【０００４】
しかしながら、現在、通信端末などの待ち受け画面にテロップ表示される情報は、コンテンツ事業者によって作成され、通信端末などに配信されている。この場合、通信端末ではその情報がコンテンツ事業者の設定した順序で表示される。このため、通信端末を所有するユーザは、見たい情報があっても、その情報が表示されるまで待たないと閲覧できない。
【０００５】
本発明は、上記課題を解決するためになされたものであり、ユーザが見たい情報を早く閲覧することが可能なテロップ表示装置及びテロップ表示方法を提供することを目的とする。
【課題を解決するための手段】
【０００６】
上記課題を解決するため、本発明は、取得したテロップ情報をテロップ表示する情報端末であって、表示されたテロップ情報に対して行われた操作を検出する検出手段と、検出手段により検出された操作を示す操作情報と、該操作が行われたテロップ情報のカテゴリを示すカテゴリ情報とを関連付け、操作履歴として記憶する記憶手段と、テロップ情報と該テロップ情報のカテゴリを示すカテゴリ情報とを含む複数の配信情報を取得する取得手段と、取得手段により取得された複数の配信情報の各カテゴリに対するユーザの嗜好度を、記憶手段から読み出した操作履歴に基づいて算出する算出手段と、算出手段により算出された嗜好度に基づいて複数の配信情報を並び替える並替手段と、並替手段により並び替えられた順序で、取得手段により取得された複数の配信情報をテロップ表示する表示手段と、を備える。
【０００７】
また、本発明は、テロップ情報を表示する情報端末により実行されるテロップ表示方法であって、テロップ情報と該テロップ情報のカテゴリを示すカテゴリ情報とを含む複数の配信情報を取得する取得ステップと、取得ステップにおいて取得された複数の配信情報の各カテゴリに対するユーザの嗜好度を、記憶手段から読み出した操作履歴に基づいて算出する算出ステップと、算出ステップにおいて算出された嗜好度に基づいて複数の配信情報を並び替える並替ステップと、並替ステップにおいて並び替えられた順序で、取得ステップにおいて取得された複数の配信情報をテロップ表示する表示ステップと、を含み、記憶手段が、表示されたテロップ情報に対して行われた操作を示す操作情報と、該操作が行われたテロップ情報に対応するカテゴリ情報とを関連付け、操作履歴として記憶する、ことを特徴とする。
【０００８】
このような情報端末及びテロップ表示方法によれば、情報端末が取得した複数の配信情報が、テロップ情報に対するユーザの操作履歴から算出された嗜好度に基づいて並べ替えられた上で表示される。このように、ユーザの嗜好に合った順序でテロップ情報を流すことで、ユーザは見たい情報を早く閲覧することができる。
【０００９】
本発明の情報端末では、算出手段が、操作履歴に基づいて、巻き戻し又は一時停止の操作が行われたカテゴリに対する嗜好度を増加させ、並替手段が、嗜好度の降順に複数の配信情報を並び替えてもよい。ユーザは、興味のあるテロップ情報に対して巻き戻し又は一時停止を行い、該テロップ情報をじっくり閲覧する。このため、ユーザが巻き戻し又は一時停止したテロップ情報と同一のカテゴリのテロップ情報の表示を優先させることで、ユーザの嗜好に合った順序でテロップ情報を流すことができる。
【００１０】
本発明の情報端末では、算出手段が、操作履歴に基づいて、早送りの操作が行われたカテゴリに対するユーザの嗜好度を減少させ、並替手段が、嗜好度の降順に複数の配信情報を並び替えてもよい。ユーザは、興味の薄いテロップ情報に対して早送りを行い、該テロップ情報の表示速度を速めて次のテロップ情報を早く表示させる。このため、ユーザが早送りしたテロップ情報と同一のカテゴリのテロップ情報の表示を後回しにすることで、ユーザの嗜好に合った順序でテロップ情報を流すことができる。
【発明の効果】
【００１１】
本発明によれば、情報端末が取得した複数の配信情報が、各カテゴリに対するユーザの操作履歴から算出された嗜好度に基づいて並べ替えられた上で表示される。このように、ユーザの嗜好に合った順序でテロップ情報を流すことで、ユーザは見たい情報を早く閲覧することができる。
【図面の簡単な説明】
【００１２】
【図１】実施形態に係る情報端末の機能構成を示す図である。
【図２】図１に示す情報端末のハードウェア構成を示す図である。
【図３】操作履歴を操作履歴記憶部に記憶する例を示す図である。
【図４】情報取得部により取得された配信情報の例を示す図である。
【図５】テロップ情報を並び替える例を示す図である。
【図６】情報端末にテロップ情報を表示する例を示す図である。
【図７】図１に示す情報端末の処理を示すフローチャートである。
【図８】複数の配信セットの配信情報を並べ替える例を示す図である。
【発明を実施するための形態】
【００１３】
以下、添付画面を参照しながら本発明の実施形態を詳細に説明する。なお、図面の説明において同一又は同等の要素には同一の符号を付し、重複する説明を省略する。
【００１４】
図１は、本発明の一実施形態に係る情報端末１０の機能ブロック図である。情報端末１０は、情報表示機能を備えた端末であり、サーバＳから受信したテロップ情報を表示する機能を持つ。本実施形態では、通信機能を有する携帯情報端末として情報端末１０を説明するが、情報端末１０の種類はこれに限定されない。例えば、携帯型又は据置型のパーソナルコンピュータに本発明を適用できる。図１に示すように、情報端末１０は、機能的構成要素として操作検出部１１、操作履歴記憶部１２、情報取得部１３、嗜好度算出部１４、情報並替部１５、及びテロップ表示部１６を備えている。
【００１５】
情報端末１０は、図２に示すように、オペレーティングシステムやアプリケーションプログラムなどを実行するＣＰＵ１０１と、ＲＯＭ及びＲＡＭで構成される主記憶部１０２と、メモリなどで構成される補助記憶部１０３と、呼の確立やデータ通信を行う通信制御部１０４と、文字入力用のキーで構成される操作部１０５と、液晶モニタ及びスピーカで構成される出力部１０６とを備えている。図１に示す情報端末１０の各機能は、ＣＰＵ１０１及び主記憶部１０２の上に所定のソフトウェアを読み込ませ、ＣＰＵ１０１の制御の下で、通信制御部１０４を動作させ、主記憶部１０２及び補助記憶部１０３に対してデータの読み書きを実行することで実現される。
【００１６】
操作検出部１１は、情報端末１０に表示されたテロップ情報に対してユーザが行った操作を検出する部分である。操作部１０５には、テロップ表示の巻き戻し、一時停止及び早送りなどを実行するためのキーが予め割り当てられている。ユーザは、これらのキーを操作することによって、情報端末１０に表示されたテロップ情報の表示を制御できる。操作検出部１１は、任意のテロップ情報の表示中にこれらのキー操作が行われたことを検出すると、該テロップ情報に対して操作が行われたことを示す信号を操作履歴記憶部１２に出力する。
【００１７】
操作履歴記憶部１２は、表示されたテロップ情報に対してユーザが行った操作情報と、そのテロップ情報に対応するカテゴリ情報とを関連付け、操作履歴として記憶する部分である。テロップ情報に対して操作が行われたことを示す信号が操作検出部１１から入力されると、操作履歴記憶部１２は、ユーザが操作を行ったテロップ情報に対応するカテゴリ情報、テロップの内容、操作情報、及びこれらの付随情報などを関連付けて操作履歴として記憶する。ここで、カテゴリ情報とは、天気やニュース、芸能・スポーツ、占いなどのようなテロップ情報のカテゴリを示し、テロップの内容とは、再生するテロップ情報のテキスト部分を示す。また、操作情報とは、ユーザがテロップ情報に対して行った早送り、巻き戻し、一時停止などの具体的な操作に関する情報である。
【００１８】
操作履歴記憶部１２での操作履歴の記憶例を図３に示す。図３に示すように、操作履歴記憶部１２は、テロップ情報を識別するテロップ情報ＩＤ、操作が行われたテロップ情報に対応するカテゴリ情報、テロップの内容、テロップ情報の配信日時、操作日時、及び操作情報を互いに関連付け、操作履歴として記憶する。図３は、ＩＤが1、３のテロップ情報に対して特定の操作が行われ、ＩＤが２、４のテロップ情報に対しては何の操作も行われなかったことを示している。
【００１９】
情報取得部１３は、テロップ情報と該テロップ情報のカテゴリを示すカテゴリ情報とを含む複数の配信情報をサーバＳから取得する部分である。図４に示すように、複数の配信情報は、一組のセット（例えば配信セットＡ）で取得される。図４中の配信セットＡと配信セットＢでは、取得時刻が異なり、配信セットＢが最新の配信セットである。情報取得部１３は、サーバＳから任意のタイミングで最新の配信セット（例えば配信セットＢ）を取得すると、古い配信セット（例えば配信セットＡ）を削除する。また情報取得部１３は、最新の配信セットを取得すると、配信情報を取得したことを示す信号を嗜好度算出部１４に出力するとともに、取得した配信セットを情報並替部１５に出力する。
【００２０】
嗜好度算出部１４は、操作履歴記憶部１２から操作履歴を読み出し、その操作履歴に基づいて各カテゴリのユーザの嗜好度を算出する部分である。嗜好度は、表示されたテロップ情報に対して一度も操作が行われていない段階では、どのカテゴリについても等しい値（例えば０）が与えられている。嗜好度算出部１４は、情報取得部１３から信号が入力されると、操作履歴記憶部１２を参照し、操作履歴が記憶されているかを判定する。操作履歴が記憶されていると判定した場合、嗜好度算出部１４は、その操作情報として巻き戻し又は一時停止が記録されているカテゴリの嗜好度を増加させる（例えば１増加させる）。一方、嗜好度算出部１４は、操作情報として早送りが記憶されているカテゴリの嗜好度を減少させる（例えば１減少させる）。操作履歴が何も記憶されていないカテゴリの嗜好度は、最初に与えられた値から変わらない。
【００２１】
嗜好度の算出方法は、上述した方法に限定されない。例えば、嗜好度算出部１４は、巻き戻し又は一時停止が記録されているカテゴリの嗜好度を増加させ、早送りが記憶されているカテゴリの嗜好度を変えなくてもよいし、早送りが記録されているカテゴリの嗜好度を減少させ、巻き戻し又は一時停止が記憶されているカテゴリの嗜好度を変えなくてもよい。また、嗜好度の増減幅を１ではなく、任意の値にしてもよい。嗜好度算出部１４は、このように算出した嗜好度を情報並替部１５に出力する。
【００２２】
情報並替部１５は、嗜好度算出部１４で算出した嗜好度に基づいて複数の配信情報を並び替える部分である。情報並替部１５は、情報取得部１３で取得した複数の配信情報を、嗜好度が高いカテゴリのものから順に並べる。情報並替部１５は、このように並び替えた複数の配信情報をテロップ表示部１６に出力する。
【００２３】
図５は、図３に示す操作履歴に基づいて、図４に示す配信セットＢに含まれる配信情報の順序を並び替えた例を示す。図３では、芸能・スポーツのカテゴリに属する表示されたテロップ情報の操作情報として巻き戻しが記憶されており、天気のカテゴリに属する表示されたテロップ情報の操作情報として早送りが記憶されている。これらの操作履歴に基づいて配信情報を並び替えると、芸能・スポーツのカテゴリに属する配信情報は先頭に配置され、天気のカテゴリに属する配信情報は最後に配置される。そして、操作情報が記憶されていないニュース及び占いのカテゴリに属する配信情報は、芸能・スポーツに属する配信情報と、天気のカテゴリに属する配信情報の間に配置される。このようにして配信セットＢに含まれる配信情報を並び替えた場合、図５に示すような順序となる。情報並替部１５は、並び替えた後の複数の配信情報をテロップ表示部１６に出力する。
【００２４】
テロップ表示部１６は、情報並替部１５によって並び替えられた順序で、配信情報中のテロップ情報を表示する部分である。テロップ情報は、図６に示すように情報端末１０の液晶モニタに表示される待ち受け画面の一部に（例えば画面の上部又は下部に）情報並替部１５によって並び替えられた順序で表示される。また、テロップ表示部１６は、一つの配信セットに含まれるテロップ情報の表示を終えた時に次の配信セットを取得していなかった場合、引き続き同じテロップ情報を表示する。
【００２５】
次に、図７を用いて、情報端末１０において実行される処理を説明すると共に、本実施形態に係るテロップ表示方法について説明する。図７は、本実施形態の情報端末１０での処理を示すフローチャートである。なお、過去に表示されたテロップ情報に対してユーザが操作を行っている場合には、操作履歴記憶部１２には、その履歴が記録されている。
【００２６】
サーバＳから配信情報が送られてくると、情報取得部１３が、その情報を受信する（Ｓ１１、取得ステップ）。
【００２７】
続いて、嗜好度算出部１４が、ユーザが過去に表示されたテロップ情報に対して行った操作の履歴が操作履歴記憶部１２に記憶されているか否かを判定する（Ｓ１２、操作履歴判定ステップ）。操作履歴記憶部１２に操作履歴が記憶されていると判定した場合（Ｓ１２；Ｙｅｓ）、嗜好度算出部１４は、その操作履歴を読み出し、その操作履歴に基づいてユーザの嗜好度を算出する（Ｓ１４、算出ステップ）。
【００２８】
嗜好度が算出された場合には、情報並替部１５が、該嗜好度に基づいて配信情報を並び替える（Ｓ１５、並替ステップ）。そして、テロップ表示部１６が並び替えられた順序で配信情報中のテロップ情報を表示する（Ｓ１６、表示ステップ）。一方、操作履歴記憶部１２に操作履歴が記憶されていないと判定した場合（Ｓ１２；Ｎｏ）、テロップ表示部１６は、サーバＳから取得した順序の通りに配信情報の中のテロップ情報を表示する（Ｓ１３、表示ステップ）。
【００２９】
以上説明したように、本実施形態によれば、情報端末１０が取得した複数の配信情報が、テロップ情報に対するユーザの操作履歴から算出された嗜好度に基づいて並べ替えられた上で表示される。このように、ユーザの嗜好に合った順序でテロップ情報を流すことで、ユーザは見たい情報を早く閲覧することができる。
【００３０】
特に、本実施形態では、嗜好度算出部１４が、操作履歴記憶部１２から読み出した操作履歴を参照し、操作情報として巻き戻し又は一時停止が記憶されているカテゴリに対するユーザの嗜好度を増加させ、操作情報として早送りが記憶されているカテゴリに対するユーザの嗜好度を減少させる。ユーザは、興味のあるテロップ情報に対して巻き戻し又は一時停止を行い、該テロップ情報をじっくり閲覧する。一方、ユーザは、興味の薄いテロップ情報に対して早送りを行い、該テロップ情報の表示速度を速めて次のテロップ情報を早く表示させる。このため、ユーザが巻き戻し又は一時停止したテロップ情報と同一のカテゴリのテロップ情報の表示を優先させ、ユーザが早送りしたテロップ情報と同一のカテゴリのテロップ情報の表示を後回しにすることで、ユーザの嗜好に合った順序でテロップ情報を流すことができる。
【００３１】
以上、本発明のその実施形態に基づいて詳細に説明した。しかし、本発明は上記実施形態に限定されるものではない。本発明は、その要旨を逸脱しない範囲で以下のような様々な変形が可能である。
【００３２】
上記実施形態では、最新の配信セット（図４の配信セットＢ）に含まれる４つの配信情報のみの表示順序を並べ替えたが、並び替えの方法はこれに限定されない。例えば、複数の配信セットの配信情報を並び替えてもよい。この場合、最新の配信セットを取得しても、操作履歴記憶部１２に記録されている配信セットを削除せずに残し、該配信セットと新たに取得した配信セットに含まれる配信情報を並び替える。
【００３３】
図８に、図４に示す配信セットＡ及び配信セットＢに含まれる計８つの配信情報を並び替える例を示す。並べ替えの方法としては、図５に示した並び替えの例と同様に、ユーザの操作履歴に基づいて、芸能・スポーツのカテゴリに属する配信情報を先頭に配置し、天気のカテゴリに属する配信情報を最後に配置することで、ユーザの嗜好に合った順序に配信情報を並び替える。ここで、巻き戻し又は一時停止がされたテロップ情報に対応するカテゴリの配信情報が複数ある場合（図４では芸能・スポーツ）は、最近取得した方の配信情報（配信セットＢ）を前方に配置する。一方、早送りがされたテロップ情報に対応するカテゴリの配信情報が複数ある場合も同様に、最近取得した方の配信情報を前方に配置する。
【００３４】
上記実施形態では、操作が行われたテロップ情報に対応するカテゴリに属する全ての配信情報を並び替えの対象としたが、並び替えるのは、操作が行われたテロップ情報と同じ内容を含む配信情報のみでもよい。また、配信情報は、サーバＳからではなく、例えば、メモリースティックやＳＤカードなどの記憶媒体などから取得しても構わない。
【００３５】
また上記実施形態では、巻き戻し、一時停止、及び早送りが行われたテロップ情報に対応するカテゴリの配信情報を並べ替えの対象としたが、並び替えを行う配信情報はこれに限定されない。例えば、削除したテロップ情報に対応するカテゴリの配信情報を並び替えてもよい。ユーザは、興味のないテロップ情報が表示されると、その情報を削除する。このため、削除したテロップ情報に対応するカテゴリの配信情報を後方に配置することで、ユーザの嗜好度の低いカテゴリに属するテロップ情報の表示を後回しにできる。ここで、削除したカテゴリのテロップ情報を、以後表示対象としないようにすることもできる。
【符号の説明】
【００３６】
１０…情報端末、１１…操作検出部（検出手段）、１２…操作履歴記憶部（記憶手段）、１３…情報取得部（取得手段）、１４…嗜好度算出部（算出手段）、１５…情報並替部（並替手段）、１６…テロップ表示部（表示手段）。
【図１】
2011205251.tif 000003
【図２】
2011205251.tif 000004
【図３】
2011205251.tif 000005
【図４】
2011205251.tif 000006
【図５】
2011205251.tif 000007
【図６】
2011205251.tif 000008
【図７】
2011205251.tif 000009
【図８】
2011205251.tif 000010